(57)【要約】  本発明は、薬剤送達デバイス（１０）に関し、薬剤送達デバイスは：注射針ホルダ（３９）を固定できるカートリッジホルダ（１４）であって、注射針ホルダ（３９）は、近位端（４２）および遠位端（４３）を有する注射針（１７）を保持し、近位端（４２）は注射針ホルダ（３９）に取外し可能に連結される内側注射針キャップ（４０）により保護され、カートリッジホルダ（１４）は、ハウジング（１１）に取り付けられ、かつ薬剤のカートリッジ（１５）を受け入れるように構成される、カートリッジホルダと；ハウジング（１１）に取外し可能に連結されるキャップ組立体（１２）と；キャップ組立体（１２）がカートリッジホルダ（１４）から引き離されたとき、内側注射針キャップ（４０）を注射針ホルダ（３９）から外すように構成された把持機構（８６）とを含む。
2018535053.tif 000002
【特許請求の範囲】
【請求項１】
薬剤送達デバイス（１０）であって：
注射針ホルダ（３９）を固定できるカートリッジホルダ（１４）であって、注射針ホルダ（３９）は、近位端（４２）および遠位端（４３）を有する注射針（１７）を保持し、近位端（４２）は、注射針ホルダ（３９）に取外し可能に連結される内側注射針キャップ（４０）により保護され、カートリッジホルダ（１４）は、ハウジング（１１）に取り付けられ、かつ薬剤のカートリッジ（１５）を受け入れるように構成される、カートリッジホルダと；
ハウジング（１１）に取外し可能に連結されるキャップ組立体（１２）と；
該キャップ組立体（１２）がカートリッジホルダ（１４）から引き離されたとき、内側注射針キャップ（４０）を注射針ホルダ（３９）から外すように構成された把持機構（８６）と
を含む前記薬剤送達デバイス。
【請求項２】
キャップ組立体（１２）は、該キャップ組立体（１２）がカートリッジホルダ（１４）から引き離されたとき、内側注射針キャップ（４０）を、ハウジング（１１）の長手方向軸（Ｘ）に沿って軸方向に注射針ホルダ（３９）から引き離すように構成される、請求項１に記載の薬剤送達デバイス（１０）。
【請求項３】
把持機構（８６）は、少なくとも１つの把持部材（８７）を含み、該把持部材は、後退位置から、把持部材（８７）が内側注射針キャップ（４０）に係合する係合位置に向かって可動であり、把持部材（８７）は、キャップ組立体（１２）がカートリッジホルダ（１４）から引き離されたとき、後退位置から係合位置に向かって動く、請求項１または２に記載の薬剤送達デバイス（１０）。
【請求項４】
前記少なくとも１つの把持部材（８７）は、後退位置から係合位置に向かってキャップ組立体（１２）に対して可動である、請求項３に記載の薬剤送達デバイス（１０）。
【請求項５】
把持機構（８６）は、自由端（８９）をそれぞれが有する複数のばねアーム（８７）を含み、該ばねアーム（８７）は、キャップ組立体（１２）がカートリッジホルダ（１４）から引き離されたとき、自由端（８９）が、内側注射針キャップ（４０）上に折れ曲がり、かつ締め付けるように構成される、請求項３または４に記載の薬剤送達デバイス（１０）。
【請求項６】
後退位置では、各ばねアーム（８７）の自由端（８９）は、カートリッジホルダ（１４）上に載っており、係合位置では、各ばねアーム（８７）の自由端（８９）は、内側注射針キャップ（４０）を締め付ける、請求項５に記載の薬剤送達デバイス（１０）。
【請求項７】
ばねアーム（８７）は互いに向かって付勢される、請求項５または６に記載の薬剤送達デバイス（１０）。
【請求項８】
キャップ組立体は、内側キャップ（７０）と、該内側キャップ（７０）に連結された外側キャップ（６９）とを含み、ばねアーム（８７）は、自由端（８９）とは反対の第１の端部（８８）を有し、各第１の端部（８８）は、内側キャップ（７０）に固定される、請求項５〜７のいずれか１項に記載の薬剤送達デバイス（１０）。
【請求項９】
外側針キャップ（４１）は、内側針キャップ（４０）の上に位置し、またキャップ組立体は停止部材（８１）を含み、該停止部材（８１）は、キャップ組立体（１２）がカートリッジホルダ（１４）から引き離されたとき、外側針キャップ（４１）の遠位セクション（５６）に係合して、内側針キャップ（４０）を注射針ホルダ（３９）から取り外す前に、外側針キャップ（４１）を内側針キャップ（４０）から取り外すように構成される、請求項１〜８のいずれか１項に記載の薬剤送達デバイス（１０）。
【請求項１０】
各ばねアーム（８７）の第１の端部（８８）は、停止部材（８１）に固定される、請求項８または９に記載の薬剤送達デバイス（１０）。
【請求項１１】
互いに向き合っている１対のばねアーム（８７）を含む、請求項５〜１０のいずれか１項に記載の薬剤送達デバイス（１０）。
【請求項１２】
把持機構（８６）は、内側注射針キャップ（４０）を保持するように構成された留め具（８６）であって、キャップ組立体（１２）がカートリッジホルダ（１４）から引き離されたとき、内側注射針キャップ（４０）を注射針ホルダ（３９）から取り外すように構成された留め具を含む、請求項１〜１１のいずれか１項に記載の薬剤送達デバイス（１０）。
【請求項１３】
注射針（１７）が固定される注射針ホルダ（３９）を含み、注射針（１７）は、近位端（４２）および遠位端（４３）を有し、近位端（４２）は、注射針ホルダ（３９）に取外し可能に連結された内側注射針キャップ（４０）により保護される、請求項１〜１２のいずれか１項に記載の薬剤送達デバイス（１０）。
【請求項１４】
薬剤のカートリッジ（１５）を含み、該カートリッジ（１５）は、カートリッジホルダ（１４）内に受け入れられる、請求項１〜１３のいずれか１項に記載の薬剤送達デバイス（１０）。
【請求項１５】
薬剤送達デバイス（１０）において、注射針（１７）から内側注射針キャップ（４０）を取り外す方法であって、薬剤送達デバイス（１０）のキャップ組立体（１２）を所定の距離だけ近位方向に動き、キャップ組立体（１２）および内側注射針キャップ（４０）をデバイス（１０）から取り外す工程を含む前記方法。
【請求項１６】
外側針キャップ（４１）は、内側針キャップ（４０）の上に位置し、キャップ組立体（１２）を所定の距離だけ動くことにより、外側針キャップ（４１）が内側注射針キャップ（４０）から外れるようにする、請求項１５に記載の方法。
【発明の詳細な説明】
【技術分野】
【０００１】
本発明は、患者に薬剤を送達するためのデバイスに関する。
【背景技術】
【０００２】
自動注射器などの薬剤注射デバイスは、注射によって薬剤を送達するように設計された薬剤送達デバイスの一般的なタイプである。このタイプのデバイスは、使いやすく設計されており、患者が自己投与するように、または正式な医学的訓練を受けていない人により投与されるように意図されている。
【０００３】
状況によっては、薬剤注射デバイスは、年配者または身体に障害のある人など、身体能力の損なわれた患者によって使用されるが、患者によるデバイスの操作は困難である可能性がある。
【発明の概要】
【発明が解決しようとする課題】
【０００４】
少なくともいくつかの実施形態では、本発明は、上記で述べた問題の少なくともいくつかを克服する、または改善しようとするものである。特に本発明は、容易に使用できる薬剤送達のためのデバイスを提供することを目指している。
【課題を解決するための手段】
【０００５】
本発明の態様は、患者に薬剤を送達するためのデバイスに関する。
【０００６】
本発明のさらなる態様によれば、薬剤送達デバイスが提供され、薬剤送達デバイスは：
注射針ホルダを固定できるカートリッジホルダであって、注射針ホルダは、近位端および遠位端を有する注射針を保持し、近位端は、注射針ホルダに取外し可能に連結される内側注射針キャップにより保護され、カートリッジホルダは、ハウジング内に取り付けられ、かつ薬剤のカートリッジを受け入れるように構成される、カートリッジホルダと；
ハウジングに取外し可能に連結されるキャップ組立体と；
キャップ組立体がカートリッジホルダから引き離されたとき、内側注射針キャップを注射針ホルダから外すように構成された把持機構と
を含む。これは、ユーザが薬剤注射手順に対して実施する必要のある工程量を低減できるので有利である。従来の薬剤送達デバイスでは、デバイスの注射する準備を完了させるために、ユーザがキャップ組立体および内側針キャップを別々に外して針を露出させる必要がある。年配者または身体に障害のある人などの虚弱な患者は、内側針キャップが小サイズであるため、内側針キャップを外すことは、キャップ組立体を外すことよりも難しいと気付く可能性のあることを理解されたい。本発明によれば、キャップ組立体および内側針キャップは共に、単一の操作で同時に取り外され、それにより、薬剤送達デバイスが使いやすくなる。
【０００７】
キャップ組立体は、キャップ組立体がカートリッジホルダから引き離されたとき、内側注射針キャップを、ハウジングの長手方向軸に沿って軸方向に注射針ホルダから引き離すように構成することができる。これは、内側注射針キャップを、注射針ホルダから確実に容易に取り外せるようにするので有利である。
【０００８】
把持機構は、少なくとも１つの把持部材を含むことができ、把持部材は、後退位置から、把持部材が内側注射針キャップに係合する係合位置に向かって可動であり、把持部材は、キャップ組立体がカートリッジホルダから引き離されたとき、後退位置から係合位置に向かって動くことができる。一実施形態では、前記少なくとも１つの把持部材は、後退位置から係合位置に向かって、キャップ組立体に対して可動である。
【０００９】
把持機構は、内側注射針キャップを保持し、かつキャップ組立体がカートリッジホルダから引き離される間、内側注射針キャップを注射針ホルダから取り外すように構成された留め具を含むことができる。これは、注射する前に、内側注射針キャップを信頼できる方法で確実にハウジングから取り外すことができるので有利である。
【００１０】
把持機構は、自由端をそれぞれが有する複数のばねアームを含むことができ、またばねアームは、キャップ組立体がカートリッジホルダから引き離されたとき、自由端が、内側注射針キャップ上に折れ曲がり、かつ締め付けるように構成することができる。これは、簡単な構成の薬剤送達デバイスを提供できるので有利である。
【００１１】
後退位置では、各ばねアームの自由端は、カートリッジホルダ上に載ることができ、また係合位置では、各ばねアームの自由端は、内側注射針キャップを締め付けることができる。
【００１２】
ばねアームを、互いに向かって付勢することができる。
【００１３】
キャップ組立体は、内側キャップと、内側キャップに連結された外側キャップとを含むことができ、ばねアームは、自由端とは反対側の第１の端部を有することができ、また各第１の端部は、内側キャップに固定することができる。
【００１４】
外側針キャップは、内側針キャップの上に位置することができ、またキャップ組立体は停止部材を含むことができ、停止部材は、キャップ組立体がカートリッジホルダから引き離されたとき、外側針キャップの遠位セクションに係合して、内側針キャップを注射針ホルダから取り外す前に、外側針キャップを内側針キャップから取り外すように構成される。内側針キャップおよび外側針キャップは共に、単一の操作で注射針ホルダから取り外され、それにより、ユーザが薬剤注射手順に対して実施する必要のある工程量が低減される。
【００１５】
各ばねアームの第１の端部は、停止部材に固定することができる。
【００１６】
薬剤送達デバイスは、互いに向き合っている１対のばねアームを含むことができる。
【００１７】
薬剤送達デバイスは、注射針が固定される注射針ホルダを含むことができ、注射針は、近位端および遠位端を有し、近位端は、注射針ホルダに取外し可能に連結された内側注射針キャップにより保護される。
【００１８】
薬剤送達デバイスは、薬剤のカートリッジを含むことができ、カートリッジは、カートリッジホルダ内に受け入れられる。
【００１９】
本発明のさらなる態様によれば、薬剤送達デバイスにおいて、注射針を保持する注射針ホルダから内側注射針キャップを取り外す方法が提供され、注射針は、近位端および遠位端を有し、近位端は、内側注射針キャップにより保護されており、薬剤送達デバイスは：
注射針ホルダを固定できるカートリッジホルダであって、ハウジングに取り付けられ、かつ薬剤のカートリッジを受け入れるように構成されたカートリッジホルダと；
ハウジングに取外し可能に連結されたキャップ組立体と；
把持機構とを含み；
ここで、方法は、キャップ組立体をカートリッジホルダから引き離して、把持機構に、内側注射針キャップを注射針ホルダから外させる工程を含む。
【００２０】
外側針キャップは、内側針キャップの上に位置することができ、また方法は、キャップ組立体をカートリッジホルダから引き離して、外側針キャップを、内側注射針キャップから引き離すようにさせる工程を含むことができる。
【００２１】
本発明のさらなる態様によれば、薬剤送達デバイスにおいて、注射針から内側注射針キャップを取り外す方法が提供され、方法は、薬剤送達デバイスのキャップ組立体を所定の距離だけ近位方向に動き、キャップ組立体および内側注射針キャップをデバイスから取り外す工程を含む。
【００２２】
外側針キャップは、内側針キャップの上に位置することができ、またキャップ組立体を所定の距離だけ動くことにより、外側針キャップを内側注射針キャップから外れるようにする。
【００２３】
本明細書で相互に交換可能に使用される「薬物」または「薬剤」という用語は、少なくとも１つの薬学的に活性な化合物を含む医薬製剤を意味する。
【００２４】
「薬剤送達デバイス」という用語は、ヒトまたはヒト以外（獣医学的用途も本開示により明確に企図される）の体に薬物を直ちに投薬するように設計された任意のタイプのデバイス、システム、または装置を包含するものと理解されたい。「直ちに投薬する」ことにより、薬物送達デバイスからの薬物の放出と、ヒトまたはヒト以外の体への投与との間に、ユーザによる何らかの必要な中間的薬物操作がないことを意味する。限定することなく、薬物送達デバイスの典型的な例は、注射デバイス、吸入器、および胃管供給システムに見出すことができる。再度限定することなく、例示的な注射デバイスは、たとえば、シリンジ、自動注射器、注射ペンデバイス、および脊髄注射システムを含むことができる。
【００２５】
本発明の例示的な実施形態が、添付図面を参照して述べられる。
【図面の簡単な説明】
【００２６】
【図１Ａ】本発明の実施形態による薬剤送達デバイスの概略的な側面図である。
【図１Ｂ】本発明の実施形態による薬剤送達デバイスの概略的な側面図である。
【図２】針が収納位置にある図１Ａの薬剤送達デバイスの一部の横断面図である。
【図３】針が使用位置にある図１Ａの薬剤送達デバイスの一部の横断面図である。
【図４】針が使用位置にあり、シールドアームが、内側キャップにより非アクティブ位置で保持された状態にある図１Ａの薬剤送達デバイスの一部の横断面図である。
【図５】針が使用位置にあり、内側針キャップが針から取り外され、かつシールドアームが針安全位置にある、図１Ａの薬剤送達デバイスの一部の横断面図である。
【図６Ａ】非アクティブ位置にあるシールドアームを詳細に示す図１Ａの薬剤送達デバイスの一部の斜視図である。
【図６Ｂ】図６Ａの薬剤送達デバイスの一部の横断面図である。
【図７Ａ】針安全位置にあるシールドアームを詳細に示す図１Ａの薬剤送達デバイスの一部の斜視図である。
【図７Ｂ】図７Ａの薬剤送達デバイスの一部の横断面図である。
【発明を実施するための形態】
【００２７】
本発明の実施形態は、薬剤送達デバイスのキャップ組立体がカートリッジホルダから引き離されたとき、内側針キャップを、薬剤送達デバイスの注射針ホルダから取り外すための機構を提供する。このような機構を提供することは、キャップ組立体および内側針キャップを共に、単一の操作で同時に外すことを可能にし、それにより、薬剤送達デバイスが使いやすくなる。
【００２８】
本開示のいくつかの実施形態によれば、本明細書では、単に「デバイス１０」と呼ぶ例示的な薬物送達デバイス１０が、図１Ａおよび図１Ｂで示される。
【００２９】
本明細書における「近位の」および「遠位の」という用語は、それぞれ、患者に比較的近いこと、および患者から比較的離れていることを指している。
【００３０】
本明細書に記載の薬物送達デバイスは、薬剤を患者に注射するように構成することができる。たとえば、送達は、皮下、筋肉内、または静脈内に行うものとすることができる。このようなデバイスは、患者、または看護師もしくは医師などの介護者により操作することができ、様々なタイプの安全シリンジ、ペン注射器、または自動注射器を含むことができる。デバイスは、使用する前に、封止されたアンプルに穿孔する必要のあるカートリッジベースのシステムを含むことができる。これらの様々なデバイスを用いて送達される薬剤の量は、約０．５ｍｌから約２ｍｌの範囲とすることができる。さらに、別のデバイスは、「多くの」量の薬剤（通常、約２ｍｌから約１０ｍｌ）を送達するために、一定の時間期間（たとえば、約５、１５、３０、６０、または１２０分）にわたり、患者の皮膚に接着するように構成された大量デバイス（「ＬＶＤ」）またはパッチポンプを含むことができる。
【００３１】
特定の薬剤と組み合わせて、本記載のデバイスはまた、必要な仕様内で動作するようにカスタマイズすることもできる。たとえば、デバイスは、一定の時間期間内に薬剤を注射するようにカスタマイズすることができる（たとえば、自動注射器の場合、約３秒から約２０秒、またＬＶＤの場合、約１０分から約６０分など）。他の仕様は、低レベルもしくは最小レベルの不快さ、または人的要因、貯蔵寿命、使用期限、生体適合性、環境的配慮などに関連するいくつかの条件を含むことができる。このような変化は、たとえば、粘度が約３ｃＰから約５０ｃＰの範囲の薬物など、様々な因子に起因して生ずる可能性がある。結果として、薬物送達デバイスは、サイズが約２５から約３１ゲージの範囲の中空の針を含むことが多い。普通のサイズは、２７および２９ゲージである。
【００３２】
本明細書に記載の送達デバイスはまた、１つまたはそれ以上の自動化された機能を含むことができる。たとえば、針の挿入、薬剤の注射、および針の後退のうちの１つまたはそれ以上のものを自動化することができる。１つまたはそれ以上の自動化工程に対するエネルギーは、１つまたはそれ以上のエネルギー源により提供することができる。エネルギー源は、たとえば、機械的、空気的、化学的、または電気的エネルギーを含むことができる。たとえば、機械的なエネルギー源は、ばね、てこ、エラストマー、またはエネルギーを蓄積もしくは解放するための他の機械的な機構を含むことができる。１つまたはそれ以上のエネルギー源は、単一のデバイスへと組み合わせることができる。デバイスは、エネルギーをデバイスの１つもしくはそれ以上の構成要素の動きへと変換する歯車、弁、あるいは他の機構をさらに含むことができる。
【００３３】
自動注射器の１つまたはそれ以上の自動化された機能は、それぞれ、起動機構により起動することができる。このような起動機構は、ボタン、レバー、針スリーブ、または他の起動構成要素の１つまたはそれ以上のものを含むことができる。自動化された機能の起動は、１つの工程、またはマルチ工程のプロセスとすることができる。すなわち、ユーザは、自動化された機能を行うために、１つまたはそれ以上の起動構成要素を起動する必要があり得る。たとえば、１つの工程のプロセスでは、ユーザは、薬剤を注入させるために、患者の体に対して針スリーブを押し下げることができる。他のデバイスは、自動化された機能のマルチ工程の起動を必要とすることができる。たとえば、ユーザは、注射させるために、ボタンを押し下げ、かつニードルシールドを後退させることが必要になり得る。
【００３４】
さらに１つの自動化された機能の起動は、１つまたはそれ以上の後続する自動化された機能を起動させ、それにより、起動シーケンスを形成することができる。たとえば、第１の自動化された機能を起動することは、針の挿入、薬剤注射、および針の後退のうちの少なくとも２つを起動することができる。いくつかのデバイスはまた、１つまたはそれ以上の起動された機能を行わせるために、特定シーケンスの工程が必要になり得る。他のデバイスは、一連の独立した工程で動作することができる。
【００３５】
いくつかの送達デバイスは、安全シリンジ、ペン注射器、または自動注射器の１つまたはそれ以上の機能を含むことができる。たとえば、送達デバイスは、薬剤を自動的に注射するように構成された機械的なエネルギー源（通常、自動注射器で見られる）と、用量設定機構（通常、ペン注射器で見られる）とを含むこともできる。
【００３６】
デバイス１０は、上記で述べたように、たとえば、液体薬剤などの薬剤を、患者の体に注射するように構成される。デバイス１０は、通常、注射する予定の薬剤を含む貯蔵器（たとえば、シリンジ）と、送達プロセスの１つまたはそれ以上の工程を容易にするために必要な構成要素とを含む本体またはハウジング１１を含む。デバイス１０はまた、ハウジング１１に取外し可能に取り付けることのできるキャップ組立体１２を含むことができる。通常、ユーザは、デバイス１０を動作させる前に、ハウジング１１からキャップ組立体１２を取り外す必要がある。
【００３７】
デバイス１０は、液体の薬剤で充填済みのカートリッジ１５と、カートリッジ１５から薬剤を患者の体に注射するための注射針１７を含むペンニードルまたはニードルアセンブリ１６（図２で見ることができる）とを含む。ハウジング１１は、カートリッジ１５の内容物を、それを通して見ることのできる窓１１ａを含む。図２で示すように、デバイス１０はまた、キャップ組立体１２をニードルアセンブリ１６に連結するための連結機構１８と、デバイス１０が使用されるとき、針１７への通路を閉じるためのシールド要素１９とを含む。
【００３８】
図示のように、ハウジング１１は、実質的に円筒形であり、かつ長手方向軸Ｘに沿って実質的に一定の直径を有する。ハウジング１１は、近位領域２０および遠位領域２１を有する。「近位の」という用語は、注射部位に比較的近い位置を指し、また「遠位の」という用語は、注射部位から比較的離れた位置を指す。
【００３９】
デバイス１０はまた、スリーブ１３がハウジング１１に対して動くことができるようにハウジング１１に連結された針スリーブ１３を含むことができる。スリーブ１３は、ハウジング１１内に後退可能に取り付けられる。たとえば、スリーブ１３は、長手方向軸Ｘに平行な長手方向に動くことができる。具体的には、遠位方向へのスリーブ１３の動きにより、針１７は、ハウジング１１の近位領域２０から延びることができる。
【００４０】
針１７の挿入は、いくつかの機構により行うことができる。たとえば、針１７は、ハウジング１１に対して固定されて位置することができ、最初は、延ばされた針スリーブ１３内に位置することができる。患者の体に対してスリーブ１３の近位端を当て、かつハウジング１１を近位方向に動かすことによるスリーブ１３の遠位方向の動きは、針１７の近位端を露出させることになる。このような相対運動により、針１７の近位端は患者の体内へと延びることができる。このような挿入は、スリーブ１３に対するハウジング１１の患者の手動運動により、針１７が手動で挿入されるので、「手動」挿入と呼ばれる。
【００４１】
挿入の別の形態は、「自動化された」ものであり、それにより、針１７はハウジング１１に対して動く。このような挿入は、スリーブ１３の動きにより、またはたとえば、ボタン２２など、別の形態の起動によりトリガすることができる。図１Ａおよび図１Ｂで示すように、ボタン２２は、ハウジング１１の遠位端に位置する。しかし、他の実施形態では、ボタン２２は、ハウジング１１の側部に位置することもできる。
【００４２】
他の手動または自動化機能は、薬物注射もしくは針後退、またはその両方を含むことができる。注射は、薬剤をカートリッジから針１７を通るように強制するために、栓もしくはピストン２３を、カートリッジ内の遠位位置から、カートリッジ内のより近位位置へと動かすプロセスである。いくつかの実施形態では、駆動ばね（図示せず）が、デバイス１０が起動される前に圧縮される。駆動ばねの遠位端は、ハウジング１１の遠位領域２１内に固定することができ、また駆動ばねの近位端は、ピストン２３の遠位面に、圧縮力を加えるように構成することができる。起動された後、駆動ばねに蓄積されたエネルギーの少なくとも一部を、ピストン２３の遠位面に加えることができる。この圧縮力は、ピストン２３に対して作用して、それを近位方向に動かすことができる。このような近位の動きは、カートリッジ内の液体薬剤を圧縮するように作用し、液体薬剤を針１７から外に出すように強制する。
【００４３】
注射した後、針１７は、スリーブ１３またはハウジング１１内に後退することができる。後退は、ユーザが、デバイス１０を患者の体から外して、スリーブ１３が近位方向に動いたときに生ずることができる。これは、針１７がハウジング１１に対して固定されて位置する状態のときに生ずる。スリーブ１３の近位端が、針１７の近位端を過ぎて動き、かつ針１７が覆われた後、スリーブ１３はロックされる。このようなロックは、ハウジング１１に対するスリーブ１３のどんな遠位の動きもロックすることを含むことができる。
【００４４】
針の後退の別の形態は、針１７がハウジング１１に対して動いた場合に行うことができる。このような動きは、ハウジング１１内のカートリッジが、ハウジング１１に対して遠位方向に動いた場合に生ずる可能性がある。この遠位の動きは、近位領域２０に位置する後退ばね（図示せず）を用いることによって達成することができる。圧縮された後退ばねは、起動されたとき、カートリッジに十分な力を供給して、それを遠位方向に動くことができる。十分に後退した後、針１７とハウジング１１の間のいずれの相対運動も、ロッキング機構を用いてロックすることができる。加えて、ボタン２２、またはデバイス１０の他の構成要素が、必要に応じてロックすることができる。
【００４５】
図２で示すように、カートリッジホルダ１４は、ハウジング１１にしっかりと取り付けられる。カートリッジホルダ１４は、カートリッジ１５を受け入れるための空洞部２５を画成する壁２４を含む。カートリッジホルダ１４は、主部分２６および近位部分２７を含む。主部分２６は、実質的に円筒形であり、かつ長手方向軸Ｘに沿って、実質的に一定の直径を有する。近位部分２７は、実質的に円筒形であり、かつ主部分２６の直径未満の直径を有する。近位部分２７は、外側のねじ山２８を含む。リブ２９が、近位部分２７の端部３０で壁２４から内側方向に突出し、かつ近位部分２７の円周全体に延びている。リブ２９は、注射中に、針１７が通って位置する開口部３１を画成する。封止カッタ３２が、リブ２９に固定される。封止カッタ３２は、リブ２９から突出しており、かつ開口部３１の周りに分布する１対の切刃の形態のものである。
【００４６】
カートリッジ１５は、患者の体に注射する予定の液体薬剤を収納する管状の容器３３の形態をしている。容器３３は、カートリッジホルダ１４の空洞部２５内にしっかりと嵌合される。容器３３は、カートリッジホルダ１４の開口部３１に面しており、かつセプタム３５により封止されるアパーチャ３４を含む。
【００４７】
スリーブ１３は、概して管状の形を有し、かつハウジング１１とカートリッジホルダ１４の間で長手方向軸Ｘに沿って延びる。スリーブ１３は、スリーブ１３がハウジング１１の近位領域２０から突出する展開位置と、スリーブ１３がハウジング１１内に後退した後退位置との間で、長手方向軸Ｘに沿って摺動可能である。円周方向の刻み目３６が、スリーブ１３の近位端３８において、スリーブ１３の内面上に設けられる。ハウジング１１に対するスリーブ１３の回転は、スプラインが付けられた構成（図示せず）により阻止される。
【００４８】
ニードルアセンブリ１６は、注射針１７と、針１７が固定される注射針ホルダ３９と、内側のニードルシールドもしくは内側針キャップ４０と、外側のニードルシールドもしくは外側針キャップ４１とを含む。
【００４９】
注射針１７は、近位端４２と、遠位端４３と、近位端４２および遠位端４３を共に接続する中間セクション４４とを含む中空の針１７の形態をしている。針１７は、収納位置（図２）から使用位置（図３から図５）に向かって可動である。収納位置では、針１７の遠位端４３は、カートリッジ１５から離間されており、したがって、薬剤を送達することはできない。使用位置では、針１７の遠位端４３は、カートリッジ１５の中に挿入され、したがって、薬剤は、カートリッジ１５から流れて、針１７を通り患者の体へと注射することができる。
【００５０】
針ホルダ３９は、針支持部分４５と、針支持部分４５から延びるフランジ４６とを含む。針支持部分４５は、針１７の中間セクション４４に固定され、かつ針１７を、長手方向軸Ｘに対して実質的に平行な位置に支持する。針１７は、フランジ４６が針１７の遠位端４３を囲むように、針ホルダ３９内に位置する。フランジ４６は、内面および外面を有する。フランジ４６の内面は、カートリッジホルダ１４の近位部分２７の外側ねじ山２８とかみ合うように構成された内側ねじ山４９を有する。フランジ４６は、長手方向軸Ｘに対して横断方向にフランジ４６内で延びる封止フィルムまたは封止膜５０を含む。封止膜５０は、針１７が収納位置にあるとき、針１７の遠位端４３をフランジ４６内に封止する。以下でより詳細に説明されるように、封止膜５０は、針１７が使用位置に向かって動いたとき、カートリッジホルダ１４の切刃３２により切られて、針１７の遠位端４３を露出するように構成される。
【００５１】
内側針キャップ４０は、デバイス１０が使用状態にない場合、針１７の近位端４２を保護するために、針１７の近位端４２を囲む。内側針キャップ４０は、管状のものである。内側針キャップ４０の直径は、内側針キャップ４０の内面が、針ホルダ３９の針支持部分４５にしっかりと当接して、内側針キャップ４０をその上にしっかりと配置するようなものである。内側針キャップ４０がこのように配置されると、針１７は、内側針キャップ４０内に完全に封入される。
【００５２】
外側針キャップ４１は、内側針キャップ４０および針ホルダ３９の上に位置する。外側針キャップ４１は、遠位セクション５６および近位セクション５７を有する管状のものである。遠位セクション５６は、針ホルダ３９のフランジ４６の外面の上に位置する。遠位セクション５６の直径は、遠位セクション５６の内面が、針ホルダ３９のフランジ４６の外側面にしっかりと当接して、外側針キャップ４１をその上にしっかりと配置するようなものである。近位セクション５７の直径は、遠位セクション５６の直径よりも小さい。近位セクション５７の直径は、近位セクション５７の内面が、内側針キャップ４０の外面に軽く当接するようなものである。外側肩部６２が、遠位セクション５６上に設けられ、かつ遠位セクション５６の円周全体周りで延びる。
【００５３】
連結機構１８は、外側針キャップ４１の近位セクション５７にしっかりと固定され、かつハウジング１１の長手方向軸Ｘに沿って延びるスピンドル６３を含む。スピンドル６３は、第１のスピンドルセクション６４および第２のスピンドルセクション６５を含む。第１のスピンドルセクション６４の直径は、肩部６６が、第１のスピンドルセクション６４と第２のスピンドルセクション６５との間の接続部に形成されるように、第２のスピンドルセクション６５の直径よりも大きい。第１のスピンドルセクション６４は中空であり、外側針キャップ４１の近位セクション５７を受け入れる。第１のスピンドルセクション６４は、外側針キャップ４１の近位セクション５７にしっかりと取り付けられる。第１のスピンドルセクション６４は、第１のねじピッチを有する第１の外側ねじ山６７を有する。第２のスピンドルセクション６５は、第２のねじピッチを有する第２の外側ねじ山６８を有する。第１のねじピッチは、第２のねじピッチよりも小さい。たとえば、第１のねじピッチと第２のねじピッチとの間の比は、０．５と０．９の間からなる。
【００５４】
キャップ組立体１２は、外側キャップ６９および内側キャップ７０を含む。外側キャップ６９は、外側円筒部分７２および内側円筒部分７３が延びる外側キャップ面７１を含む。外側円筒部分７２は、ハウジング１１の直径に実質的に等しい直径を有する。内側円筒部分７３は、長手方向軸Ｘに沿って、外側円筒部分７２内で延びる。内側円筒部分７３は、外側キャップ面７１とは反対方向にある内側円筒部分７３の端部７５において、内側に、かつ円周方向に延びる第１の停止部材７４を含む。第１の停止部材７４は、第２のスピンドルセクション６５の第２の外側ねじ山６８とかみ合う第３のねじ山７６を含む。内側キャップ７０は、実質的に円筒形であり、長手方向軸Ｘに沿って延びる。内側キャップ７０は、後退可能なスリーブ１３内で延びる。内側キャップ７０は、遠位端７７、近位端７８、および遠位端７７と近位端７８の間で延びている中間領域７９を有する。内側キャップ７０は、内側キャップ７０の近位端７８において円周方向に延びる第２の停止部材８０と、内側キャップ７０の遠位端７７において円周方向に延びる第３の停止部材８１とを含む。第２の停止部材８０は、外側キャップ６９の内部円筒部分７３の第１の停止部材７４に係合するように構成される。第３の停止部材８１は、外側針キャップ４１の遠位セクション５６の外側肩部６２に係合するように構成される。突起部８２は、内側キャップ７０の中間領域７９から円周方向に、かつ内側に延びる。突起部８２は、第１のスピンドルセクション６４の第１の外側ねじ山６７とかみ合う第４のねじ山８３を含む。円周方向の凹部８４が、中間領域７９の外側面上に設けられ、スリーブ１３の円周方向の刻み目３６を受け入れるように構成され、したがって、内側キャップ７０は、取外し可能にスリーブ１３に固定される。
【００５５】
留め具８６の形態の把持機構が、内側キャップ７０の遠位端７７に設けられる。留め具８６は、内側キャップ７０の第３の停止部材８１に固定された第１の端部８８と、第１の端部８８とは反対の第２の端部または自由端８９とをそれぞれが有する１対のばねアーム８７を含む。ばねアーム８７は、互いに向き合っている。ばねアーム８７は、互いに向かって付勢される。ばねアーム８７は、各ばねアーム８７の第２の端部８９がカートリッジホルダ１４の壁２４上に載置される後退すなわち休止位置と、各ばねアームの自由端８９が内側針キャップ４０を締め付ける係合位置との間で可動である。ばねアーム８７は、キャップ組立体１２がカートリッジホルダ１４から引き離されたとき、後退位置から係合位置に動く。ばねアーム８７は、内側針キャップ４０を針ホルダ３９から取り外すために、内側キャップ７０をスリーブ１３から引き離したとき、第２の端部８９が内側針キャップ４０上に折れ曲がり、かつそれを締め付ける、もしくは把持するように構成される。
【００５６】
シールド要素１９は、スリーブ１３の内壁上に分布する。シールド要素１９は、図６Ａから図７Ｂでより詳細に示されている。シールド要素１９は、スリーブ１３の近位端３８からから突出する第１、第２、第３、および第４のシールドアーム１９の形態をしている。シールドアーム１９は、針１７の近位端４２が露出される非アクティブ位置と、針１７の近位端４２への通路が閉じられる針安全位置との間で可動である。内側キャップ７０がスリーブ１３に取り付けられたとき、シールドアーム１９は、内側キャップ７０の外側面上に載置され、したがって、シールドアーム１９は、内側キャップ７０により非アクティブ位置で保持される。内側キャップ７０は、それにより、シールドアーム１９が針安全位置に向かって動くのを阻止する。シールドアーム１９は、針安全位置に向かって付勢されており、したがって、内側キャップ７０をスリーブ１３から引き離すことにより、シールドアーム１９を針安全位置に向かって動かす。
【００５７】
本発明による薬剤注射デバイス１０の動作が次に述べられる。
【００５８】
最初に、図２で示されるように、カートリッジ１５が、カートリッジホルダ１４に受け入れられ、またキャップ組立体１２がハウジング１１に取り付けられる。針１７は、収納位置にある、すなわち、針１７の遠位端４３が、カートリッジ１５から離間されている。針１７の遠位端４３は、封止膜５０により、針ホルダ３９のフランジ４６内に封止され、また針１７の近位端４２は、内側針キャップ４０内に封入される。内側針キャップ４０および針ホルダ３９は、外側針キャップ４１内に位置する。ばねアーム８７の第２の端部８９は、カートリッジホルダ１４の壁２４上に載置される。スリーブ１３の刻み目３６は、内側キャップ７０の凹部８４に位置し、したがって、内側キャップ７０は、スリーブ１３に取り付けられる。シールドアーム１９は、内側キャップ７０の外側面上に載置され、したがって、シールドアーム１９は、内側キャップ７０によって非アクティブ位置で保持される。
【００５９】
使用する場合、図３の矢印Ａで示されるように、外側キャップ６９は、カートリッジホルダ１４から引き離される。外側キャップ６９の第１の停止部材７４の第３のねじ山７６は、第２のスピンドルセクション６５の第２のねじ山６８とかみ合っているので、外側キャップ６９は、スピンドル６３を駆動して、矢印Ｂで示されるように、ハウジング１１の長手方向軸Ｘ周りの回転運動を生ずる。第１のスピンドルセクション６４の第１のねじ山６７は、内側キャップ７０の突起部８２の第４のねじ山８３とかみ合っており、かつ内側キャップ７０は、スリーブ１３に対して固定されているので、スピンドル６３は、同時に矢印Ｃで示されるように、カートリッジホルダ１４の方向へのスリーブ１３に対する並進運動を行うように駆動される。ニードルアセンブリ１６は、スピンドル６３に取り付けられているので、ニードルアセンブリ１６は、スピンドル６３と共にカートリッジホルダ１４の方向へと動き、したがって、針１７は、収納位置から使用位置に向かって動く。針１７が、使用位置に向けて動く間に、カートリッジホルダ１４上の切刃３２が、封止膜５０を切り、したがって、針１７の遠位端４３が露出される。針１７が、使用位置に向かってさらに動く間に、針１７の遠位端４３は、カートリッジ１５のセプタム３５を穿孔し、また針ホルダ３９のフランジ４６が、カートリッジホルダ１４の近位部分２７上にねじ込まれる。針ホルダ３９は、次いで、カートリッジホルダ１４に固定されて、針１７は使用位置で保持されるようになる。
【００６０】
次いで、図４の矢印Ｄで示すように、外側キャップ６９は、カートリッジホルダ１４からさらに遠くに引き離され、したがって、スリーブ１３の刻み目３６が、内側キャップ７０の凹部８４から外される。こうすることにより、外側キャップ６９の第１の停止部材７４を、内側キャップ７０の第２の停止部材８０に係合させ、その結果、外側キャップ６９が、内側キャップ７０をスリーブ１３から引き離すようにする。同時に、内側キャップ７０の遠位端７７における第３の停止部材８１は、外側針キャップ４１の外部肩部６２に係合し、外側針キャップ４１を針ホルダ３９から引き離すようにする。それと同時に、ばねアーム８７は、後退位置から係合位置に向かって動く、すなわち、ばねアーム８７の第２の端部８９は、カートリッジホルダ１４に沿って摺動し、針ホルダ３９の上を通過して、内側針キャップ４０上に折れ曲がり、かつ締め付ける。
【００６１】
次に、図５で示すように、外側キャップ６９は、カートリッジホルダ１４からさらに遠くに引き離されて、内側キャップ７０がスリーブ１３から完全に分離され、かつハウジング１１から外されるようにする。同時に、内側針キャップ４０は、長手方向軸Ｘに沿って軸方向に針ホルダ３９から引き離される。シールドアーム１９は、もはや内側キャップ７０により非アクティブ位置で保持されておらず、したがって針安全位置へと折れ曲がり、針１７の近位端４２への通路を閉じる。その時点で、デバイス１０は、注射を行う準備が完了する。
【００６２】
注射を行うために、スリーブ１３をさらにハウジング１１の中へと後退させて、針１７の近位端４２が、シールドアーム１９を通ってデバイス１０の外側に突出するようにする。次いで、薬剤が、よく知られた方法で患者に注射される。注射の後、スリーブ１３は、再度、展開位置へと延びて、デバイス１０を安全に処分するために、シールドアーム１９が針１７の近位端４２を覆うようにする。
【００６３】
上記で述べた実施形態では、連結機構が、内側キャップおよび外側キャップ上の対応するねじ山とかみ合うように構成されたねじ山を有するスピンドルを含むものとして述べられている。しかし、本発明は、この特定タイプの連結機構に限定されるようには意図されておらず、たとえば、スピンドルを外側キャップおよび内側キャップに連結するために、はすば歯車を含む連結機構など、他のタイプの連結機構も本発明の範囲に含まれるように意図されている。
【００６４】
用語「薬物」または「薬剤」は、本明細書において同意語として使用され、１つまたはそれ以上の医薬品有効成分または薬学的に許容されるその塩もしくは溶媒和物と、場合により、薬学的に許容される担体とを含む医薬製剤を示す。医薬品有効成分（「ＡＰＩ」）とは、最も広範な言い方で、ヒトまたは動物に生物学的影響を及ぼす化学構造のことである。薬理学では、薬物または薬剤が、疾患の処置、治療、予防、または診断に使用され、またはそれとは別に、身体的または精神的健康を向上させるために使用される。薬物または薬剤は、限られた継続期間、または慢性疾患では定期的に、使用される。
【００６５】
以下に説明されるように、薬物または薬剤は、１つまたはそれ以上の疾患を処置するための、様々なタイプの製剤の少なくとも１つのＡＰＩ、またはその組み合わせを含むことができる。ＡＰＩの例としては、分子量が５００Ｄａ以下である低分子；ポリペプチド、ペプチド、およびタンパク質（たとえばホルモン、成長因子、抗体、抗体フラグメント、および酵素）；炭水化物および多糖類；ならびに核酸、二本鎖または一本鎖ＤＮＡ（裸およびｃＤＮＡを含む）、ＲＮＡ、アンチセンスＤＮＡおよびＲＮＡなどのアンチセンス核酸、低分子干渉ＲＮＡ（ｓｉＲＮＡ）、リボザイム、遺伝子、およびオリゴヌクレオチドが含まれ得る。核酸は、ベクター、プラスミド、またはリポソームなどの分子送達システムに組み込まれる。１つまたはそれ以上の薬物の混合物もまた企図される。
【００６６】
用語「薬物送達デバイス」は、薬物または薬剤をヒトまたは動物の体内に投薬するように構成されたあらゆるタイプのデバイスまたはシステムを包含するものである。それだけには限らないが、薬物送達デバイスは、注射デバイス（たとえばシリンジ、ペン型注射器、自動注射器、大容量デバイス、ポンプ、潅流システム、または眼内、皮下、筋肉内、もしくは血管内送達にあわせて構成された他のデバイス）、皮膚パッチ（たとえば、浸透圧性、化学的、マイクロニードル）、吸入器（たとえば鼻用または肺用）、埋め込み型デバイス（たとえば、薬物またはＡＰＩコーティングされたステント、カプセル）、または胃腸管用の供給システムとすることができる。ここで説明される薬物は、たとえば２４以上のゲージ数を有する、たとえば皮下針である針を含む注射デバイスでは特に有用であり得る。
【００６７】
薬物または薬剤は、薬物送達デバイスで使用するように適用された主要パッケージまたは「薬物容器」内に含まれる。薬物容器は、たとえば、カートリッジ、シリンジ、リザーバ、または１つもしくはそれ以上の薬物の保存（たとえば短期または長期保存）に適したチャンバを提供するように構成された他の固体もしくは可撓性の容器とすることができる。たとえば、場合によって、チャンバは、少なくとも１日（たとえば１日から少なくとも３０日まで）の間薬物を収納するように設計される。場合によって、チャンバは、約１ヶ月から約２年の間薬物を保存するように設計される。保存は、室温（たとえば約２０℃）または冷蔵温度（たとえば約−４℃から約４℃まで）で行うことができる。場合によって、薬物容器は、投与予定の医薬製剤の２つまたはそれ以上の成分（たとえばＡＰＩおよび希釈剤、または２つの異なるタイプの薬物）を別々に、各チャンバに１つずつ保存するように構成された二重チャンバカートリッジとすることができ、またはこれを含むことができる。そのような場合、二重チャンバカートリッジの２つのチャンバは、ヒトまたは動物の体内に投薬する前、および／または投薬中に２つまたはそれ以上の成分間で混合することを可能にするように構成される。たとえば、２つのチャンバは、これらが（たとえば２つのチャンバ間の導管によって）互いに流体連通し、所望の場合、投薬の前にユーザによって２つの成分を混合することを可能にするように構成される。代替的に、またはこれに加えて、２つのチャンバは、成分がヒトまたは動物の体内に投薬されているときに混合することを可能にするように構成される。
【００６８】
本明細書において説明される薬物送達デバイス内に含まれる薬物または薬剤は、数多くの異なるタイプの医学的障害の処置および／または予防に使用される。障害の例としては、たとえば、糖尿病、または糖尿病性網膜症などの糖尿病に伴う合併症、深部静脈血栓塞栓症または肺血栓塞栓症などの血栓塞栓症が含まれる。障害の別の例としては、急性冠症候群（ＡＣＳ）、狭心症、心筋梗塞、がん、黄斑変性症、炎症、枯草熱、アテローム性動脈硬化症および／または関節リウマチがある。ＡＰＩおよび薬物の例としては、たとえば、それだけには限らないが、ハンドブックのＲｏｔｅ  Ｌｉｓｔｅ  ２０１４、主グループ１２（抗糖尿病薬物）または主グループ８６（腫瘍薬物）、およびＭｅｒｃｋ  Ｉｎｄｅｘ、第１５版などに記載されているものがある。
【００６９】
１型もしくは２型の糖尿病、または１型もしくは２型の糖尿病に伴う合併症の処置および／または予防のためのＡＰＩの例としては、インスリン、たとえばヒトインスリン、またはヒトインスリン類似体もしくは誘導体、グルカゴン様ペプチド（ＧＬＰ−１）、ＧＬＰ−１類似体もしくはＧＬＰ−１受容体アゴニスト、またはその類似体もしくは誘導体、ジペプチジルペプチダーゼ−４（ＤＰＰ４）阻害剤、または薬学的に許容されるその塩もしくは溶媒和物、またはそれらの任意の混合物が含まれる。本明細書において使用される用語「類似体」および「誘導体」は、元の物質と構造的に十分に類似しており、それによって同様の機能または活性（たとえば治療効果性）を有することができる任意の物質を指す。特に、用語「類似体」は、天然のペプチドの構造、たとえばヒトのインスリンの構造から、天然のペプチド中に見出される少なくとも１つのアミノ酸残基を欠失させるおよび／もしくは交換することによって、ならびに／または少なくとも１つのアミノ酸残基を付加することによって式上で得られる分子構造を有するポリペプチドを指す。付加および／または交換されるアミノ酸残基は、コード可能なアミノ酸残基、または他の天然の残基もしくは完全に合成によるアミノ酸残基とすることができる。インスリン類似体は「インスリン受容体リガンド」とも呼ばれる。特に、用語「誘導体」は、１つまたはそれ以上の有機置換基（たとえば、脂肪酸）が１つまたはそれ以上のアミノ酸に結合している、天然のペプチドの構造、たとえばヒトのインスリンの構造から式上で得られる分子構造を有するポリペプチドを指す。場合により、天然のペプチド中に見出される１つまたはそれ以上のアミノ酸が、欠失され、かつ／もしくはコード不可能なアミノ酸を含む他のアミノ酸によって置換されていてもよく、または、コード不可能なアミノ酸を含むアミノ酸が、天然のペプチドに付加されていてもよい。
【００７０】
インスリン類似体の例としては、Ｇｌｙ（Ａ２１），Ａｒｇ（Ｂ３１），Ａｒｇ（Ｂ３２）ヒトインスリン（インスリングラルギン）；Ｌｙｓ（Ｂ３），Ｇｌｕ（Ｂ２９）ヒトインスリン（インスリングルリジン）；Ｌｙｓ（Ｂ２８），Ｐｒｏ（Ｂ２９）ヒトインスリン（インスリンリスプロ）；Ａｓｐ（Ｂ２８）ヒトインスリン（インスリンアスパルト）；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置換されているヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリンおよびＤｅｓ（Ｂ３０）ヒトインスリンがある。
【００７１】
インスリン誘導体の例としては、たとえば、Ｂ２９−Ｎ−ミリストイル−ｄｅｓ（Ｂ３０）ヒトインスリン；Ｌｙｓ（Ｂ２９）（Ｎ−テトラデカノイル）−ｄｅｓ（Ｂ３０）ヒトインスリン（インスリンデテミル、Ｌｅｖｅｍｉｒ（登録商標））、Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−ω−カルボキシヘプタデカノイル−γ−Ｌ−グルタミル−ｄｅｓ（Ｂ３０）ヒトインスリン（インスリンデグルデク、Ｔｒｅｓｉｂａ（登録商標））、Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンがある。
【００７２】
ＧＬＰ−１、ＧＬＰ−１類似体およびＧＬＰ−１受容体アゴニストの例としては、たとえば、リキシセナチド（Ｌｙｘｕｍｉａ（登録商標）、エキセナチド（エキセンディン−４、Ｄｙｅｔｔａ（登録商標）、Ｂｙｄｕｒｅｏｎ（登録商標）、アメリカドクトカゲの唾液腺によって産生される３９アミノ酸ペプチド）、リラグルチド（Ｖｉｃｔｏｚａ（登録商標））、セマグルチド、タスポグルチド、アルビグルチド（Ｓｙｎｃｒｉａ（登録商標））、デュラグルチド（Ｔｒｕｌｉｃｉｔｙ（登録商標））、ｒエキセンディン−４、ＣＪＣ−１１３４−ＰＣ、ＰＢ−１０２３、ＴＴＰ−０５４、ラングレナチド／ＨＭ−１１２６０Ｃ、ＣＭ−３、ＧＬＰ−１エリゲン（Ｅｌｉｇｅｎ）、ＯＲＭＤ−０９０１、ＮＮ−９９２４、ＮＮ−９９２６、ＮＮ−９９２７、ノデキセン（Ｎｏｄｅｘｅｎ）、ビアドール（Ｖｉａｄｏｒ）−ＧＬＰ−１、ＣＶＸ−０９６、ＺＹＯＧ−１、ＺＹＤ−１、ＧＳＫ−２３７４６９７、ＤＡ−３０９１、ＭＡＲ−７０１、ＭＡＲ７０９、ＺＰ−２９２９、ＺＰ−３０２２、ＴＴ−４０１、ＢＨＭ−０３４、ＭＯＤ−６０３０、ＣＡＭ−２０３６、ＤＡ−１５８６４、ＡＲＩ−２６５１、ＡＲＩ−２２５５、エキセナチド−ＸＴＥＮおよびグルカゴン−Ｘｔｅｎがある。
【００７３】
オリゴヌクレオチドの例としては、たとえば：家族性高コレステロール血症の処置のためのコレステロール低下アンチセンス治療薬である、ミポメルセンナトリウム（Ｋｙｎａｍｒｏ（登録商標））がある。
【００７４】
ＤＰＰ４阻害剤の例としては、ビルダグリプチン、シタグリプチン、デナグリプチン、サキサグリプチン、ベルベリンがある。
【００７５】
ホルモンの例としては、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、およびゴセレリンなどの、脳下垂体ホルモンまたは視床下部ホルモンまたは調節性活性ペプチドおよびそれらのアンタゴニストが含まれる。
【００７６】
多糖類の例としては、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩が含まれる。ポリ硫酸化低分子量ヘパリンの薬学的に許容される塩の例としては、エノキサパリンナトリウムがある。ヒアルロン酸誘導体の例としては、ハイランＧ−Ｆ２０（Ｓｙｎｖｉｓｃ（登録商標））、ヒアルロン酸ナトリウムがある。
【００７７】
本明細書において使用する用語「抗体」は、免疫グロブリン分子またはその抗原結合部分を指す。免疫グロブリン分子の抗原結合部分の例には、抗原を結合する能力を保持するＦ（ａｂ）およびＦ（ａｂ’）２フラグメントが含まれる。抗体は、ポリクローナル、モノクローナル、組換え型、キメラ型、非免疫型またはヒト化、完全ヒト型、非ヒト型（たとえばネズミ）、または一本鎖抗体とすることができる。いくつかの実施形態では、抗体はエフェクター機能を有し、補体を固定することができる。いくつかの実施形態では、抗体は、Ｆｃ受容体と結合する能力が低く、または結合することはできない。たとえば、抗体は、アイソタイプもしくはサブタイプ、抗体フラグメントまたは変異体とすることができ、これはＦｃ受容体との結合を支持せず、たとえば、突然変異した、または欠失したＦｃ受容体結合領域を有する。用語の抗体はまた、四価二重特異性タンデム免疫グロブリン（ＴＢＴＩ）および／または交差結合領域の配向性を有する二重可変領域抗体様結合タンパク質（ＣＯＤＶ）に基づく抗体結合分子を含む。
【００７８】
用語「フラグメント」または「抗体フラグメント」は、全長抗体ポリペプチドを含まないが、抗原と結合することができる全長抗体ポリペプチドの少なくとも一部分を依然として含む、抗体ポリペプチド分子（たとえば、抗体重鎖および／または軽鎖ポリペプチド）由来のポリペプチドを指す。抗体フラグメントは、全長抗体ポリペプチドの切断された部分を含むことができるが、この用語はそのような切断されたフラグメントに限定されない。本発明に有用である抗体フラグメントは、たとえば、Ｆａｂフラグメント、Ｆ（ａｂ’）２フラグメント、ｓｃＦｖ（一本鎖Ｆｖ）フラグメント、直鎖抗体、単一特異性抗体フラグメント、または二重特異性、三重特異性、四重特異性および多重特異性抗体（たとえば、ダイアボディ、トリアボディ、テトラボディ）などの多重特異性抗体フラグメント、一価抗体フラグメント、または二価、三価、四価および多価抗体などの多価抗体フラグメント、ミニボディ、キレート組換え抗体、トリボディまたはバイボディ、イントラボディ、ナノボディ、小モジュラー免疫薬（ＳＭＩＰ）、結合ドメイン免疫グロブリン融合タンパク質、ラクダ化抗体、およびＶＨＨ含有抗体を含む。抗原結合抗体フラグメントのさらなる例が当技術分野で知られている。
【００７９】
用語「相補性決定領域」または「ＣＤＲ」は、特異的抗原認識を仲介する役割を主に担う重鎖および軽鎖両方のポリペプチドの可変領域内の短いポリペプチド配列を指す。用語「フレームワーク領域」は、ＣＤＲ配列ではなく、ＣＤＲ配列の正しい位置決めを維持して抗原結合を可能にする役割を主に担う重鎖および軽鎖両方のポリペプチドの可変領域内のアミノ酸配列を指す。フレームワーク領域自体は、通常、当技術分野で知られているように、抗原結合に直接的に関与しないが、特定の抗体のフレームワーク領域内の特定の残基が、抗原結合に直接的に関与することができ、またはＣＤＲ内の１つまたはそれ以上のアミノ酸が抗原と相互作用する能力に影響を与えることができる。
【００８０】
抗体の例としては、アンチＰＣＳＫ−９ｍＡｂ（たとえばアリロクマブ）、アンチＩＬ−６ｍＡｂ（たとえばサリルマブ）、およびアンチＩＬ−４ｍＡｂ（たとえばデュピルマブ）がある。
【００８１】
本明細書において説明される任意のＡＰＩの薬学的に許容される塩もまた、薬物送達デバイスにおける薬物または薬剤の使用に企図される。薬学的に許容される塩は、たとえば酸付加塩および塩基性塩である。
【００８２】
当業者であれば、本明細書で述べられたＡＰＩ、製剤、装置、方法、システム、および実施形態の様々な構成要素の変更（追加および／除外）は、本発明の完全な範囲および趣旨から逸脱することなく行うことができ、本発明は、このような変更およびその任意のかつすべての均等な形態を包含することが理解されよう。
【図１Ａ】
2018535053.tif 000003
【図１Ｂ】
2018535053.tif 000004
【図２】
2018535053.tif 000005
【図３】
2018535053.tif 000006
【図４】
2018535053.tif 000007
【図５】
2018535053.tif 000008
【図６Ａ】
2018535053.tif 000009
【図６Ｂ】
2018535053.tif 000010
【図７Ａ】
2018535053.tif 000011
【図７Ｂ】
2018535053.tif 000012
【国際調査報告】
2018535053.tif 000013
2018535053.tif 000014
2018535053.tif 000015